(57)【要約】【課題】耐光性、特に紫外線耐性に優れて色彩豊かな図柄等が表示された文字板を有し、少ロットでも容易に生産することが可能な時計を提供する。【解決手段】時計機械体３と、前記時計機械体により駆動されて時刻を示す指針４、５と、前記指針を支持する指針軸２１、２２と、前記指針軸が貫通する文字板台１１と、前記指針軸が貫通して前記文字板台の表面を覆う表示層１２と、を備えた時計１において、前記表示層は、前記文字板台と接してインクジェット印刷装置により耐光性を有するインクで文字及び図柄が印刷されている表示後面層１４と、前記表示後面層と接して透明で紫外線遮断作用を有する表示前面層１３と、を有する。【選択図】  図３
2004205235.tif 000002
【特許請求の範囲】
【請求項１】
時計機械体と、前記時計機械体により駆動されて時刻を示す指針と、前記指針を支持する指針軸と、前記指針軸が貫通する文字板台と、前記指針軸が貫通して前記文字板台の表面を覆う表示層と、を備えた時計において、前記表示層は、前記文字板台と接してインクジェット印刷装置により耐光性を有するインクで文字及び図柄が印刷されている表示後面層と、前記表示後面層と接して透明で紫外線遮断作用を有する表示前面層と、を有することを特徴とする時計。
【請求項２】
前記指針の前面側に、透明で紫外線遮断作用を有する前面カバーを配設してなることを特徴とする請求項１記載の時計。
【請求項３】
前記前面カバーは、透明な板の表面上に紫外線遮断作用を有する透明シートを貼着してなることを特徴とする請求項２記載の時計。
【発明の詳細な説明】
【０００１】
【発明の属する技術分野】
本発明は時計に関するものであり、特に、色彩豊かな文字や図柄が表示されている文字板を有する時計に関するものである。
【０００２】
【従来の技術】
近年、幼稚園や子供病院のような子供向けの公共施設等に設置される時計については、設置場所にふさわしい文字や図柄を設けることが要望されている。この図柄の具体例としては、色彩豊かな動物や花等があげられる。このような図柄を時計に設けると、雰囲気を和ませて緊張感を少なくする効果が得られる。ここで、時計は、長期間にわたって太陽や照明の光に曝されるために、この図柄も、長期間にわたって色彩が変化しないことが要求される。特に、子供向けの図柄は、少しでも色彩が変化してしまうと、雰囲気を和ませて緊張感を少なくする効果が急激に失われる可能性が大きいので、通常以上に耐光性が要求される。ところで、光線の中で光子としてのエネルギーが大きく、塗料の色を劣化させる作用が大きいのが紫外線である。したがって、時計の図柄は長期間にわたって、紫外線に曝露されても、色彩が変化しないことが必要となる。このような紫外線による劣化が少ない文字板を有する時計が特開２００１―２８１３５４号公報や特開２００１−９６９２９号公報に開示されている。
【０００３】
【特許文献１】
特開２００１−２８１３５４号公報（第５−６頁、図１）
【０００４】
【特許文献２】
特開２００１−９６９２９号公報（第６−１１頁、図１）
【０００５】
【発明が解決しようとする課題】
特許文献１や特許文献２の構成では、時計の文字板について、耐光性、特に、紫外線耐性を得ることができる。しかしながら、これらの構成では、量産的に色彩豊かな図柄を文字板に印刷するためには、原則として版が必要となる。したがって、時計を大量に生産するには適しているが、少ロットで生産することは容易でない。
【０００６】
本発明はこのような事由に鑑みて創案されたものであり、耐光性、特に紫外線耐性に優れて色彩豊かな図柄等が表示された文字板を有し、少ロットでも容易に生産することが可能な時計を提供することを目的としている。
【０００７】
【課題を解決するための手段】
請求項１記載の発明に係る時計は、時計機械体と、前記時計機械体により駆動されて時刻を示す指針と、前記指針を支持する指針軸と、前記指針軸が貫通する文字板台と、前記指針軸が貫通して前記文字板台の表面を覆う表示層と、を備えた時計において、前記表示層は、前記文字板台と接してインクジェット印刷装置により耐光性を有するインクで文字及び図柄が印刷されている表示後面層と、前記表示後面層と接して透明で紫外線遮断作用を有する表示前面層と、を有することを特徴としている。
【０００８】
請求項２に係る発明は、請求項１記載の時計であって、前記指針の前面側に、透明で紫外線遮断作用を有する前面カバーを配設してなることを特徴としている。
【０００９】
請求項３に係る発明は、請求項２記載の時計であって、前記前面カバーは、透明な板の表面上に紫外線遮断作用を有する透明シートを貼着してなることを特徴としている。
【００１０】
【発明の実施の形態】
（実施形態１）
実施形態１に係る時計を図１〜６に基づいて説明する。図１は、実施形態１に係る時計を前方側から見た状態を示す斜視図、図２は後方側から見た状態を示す斜視図であり、図３は全体構造を示す断面図であり、図４は、図３の主要部の拡大図である。また、図５、６は実施形態１に係る時計の文字板の構成を拡大して示す説明図である。
【００１１】
本実施形態に係る時計１は、幼稚園や子供病院のような公共施設等で使用されるものであり、その屋外や室内における壁面２の所定位置に掛け止めして支持される。
【００１２】
時計１は、時計機械体３により駆動されて時刻を示す指針である時針４及び分針５と、少なくとも分針５の先端部の軌跡円範囲を包含する広さを有する文字板６と、これらを収納する時計枠７と、時計枠７で支持されて文字板６の前面側に配設される前面カバー８とを備えている。ここで、時計枠７はステンレスやアルミニウム等の金属、あるいは、ＡＢＳ樹脂やスチロール等のプラスチックで作製される。また、前面カバー８は、紫外線吸収剤を混練した透明性の高いガラス板またはプラスチック板で作製されており、紫外線遮断作用を発揮する表面加工を施されている。なお、前面カバー８の主要構成材料は、透明材料であればよく、ガラス板またはプラスチック板に限られるものではない。
【００１３】
また、文字板６は、略平板で円状の文字板台１１とこの表面を被覆する表示層１２とから形成されている。また、文字板６は、時針４及び分針５をそれぞれ支持する時針軸２１と分針軸２２とが貫通している。さらに、文字板６の周辺には、円筒状の周辺縁部９が取付けられている。
【００１４】
一方、２５は機械体止めナット、２６は分針止めナット、２７は機械体カバー、２８は防水パッキンであり、機械体止めナット２５によって時計機械体３が文字板６に固定されている。そして、時計機械体３の時針軸２１には圧入によって時針４が固定されており、時計機械体３の分針軸２２には分針止めナット２６によって分針５が固定されている。また、時計機械体３は防水パッキン２８を挟んだうえで機械体カバー２７によって覆われた状態となっており、水滴等の侵入を防止する防雨構造が構成されている。また、３０は時計枠パッキン、３１は文字板押え金具であり、前面カバー８を挟み込んだ時計枠パッキン３０を時計枠７と周辺縁部９との間に配置し、文字板押え金具３１でもって文字板６を介して周辺縁部９を時計枠７の開口側に押付けることにより、時計１の前面側から水等が浸入するのを防止する防雨構造が構成されている。さらに、３２は時計掛け金具、３３は時計掛け軸であり、背面側に時計掛け金具３２が取り付けられた時計１は時計掛け軸３３を用いて壁面２に固定される。
【００１５】
前述した表示層１２は、図５、６に示すように、表示前面層１３と表示後面層１４とを有する２層構造であり、文字板台１１の表面を覆っている。このうち、表示前面層１３は透明で紫外線遮断作用を有するものであり、表示後面層１４は文字板台１１の表面上に耐光性を有するインクからなる時刻目盛り等の文字や任意の模様等である図柄がカラー印刷されたものである。
【００１６】
表示前面層１３は、紫外線遮断作用を有する。このものは、図５のように表面特殊保護層１３ａのみからなっているものと、図６のように表面特殊保護層１３ａと粘着層１３ｂとからなっているものとがある。ここで、表面特殊保護層１３ａは紫外線遮断作用を有し、粘着層１３ｂは表示後面層１４と表面特殊保護層１３ａとを接着する機能を有している。表示前面層１３が表面特殊保護層のみからなる具体例（トップコート層）としては、株式会社マスターマインド製のトップコート剤ＭＩＴ―８８８Ｈを被覆することがあげられる。また、表示前面層１３が表面特殊保護層１３ａと粘着層１３ｂからなる具体例（オーバーラミネートフィルム）としては、同社製のリンテックス株式会社製のルミクール（登録商標）１５０１があげられる。
【００１７】
表示後面層１４は、トナー着色剤からなるカラー印刷層であり、インクジェット印刷装置によって印刷される。この具体例としては、株式会社マスターマインド製のインクジェット印刷装置ＭＭＰ９００１Ｒを用いて図柄を印刷することで得られるカラー印刷層があげられる。
【００１８】
また、文字板台１１は、素材である板台材１５の表面に、塗装層１６、プライマー処理層１７、アンダーコート層１８を順番に被覆したものである。ここで、塗装層１６は、文字板６の下地の色彩となるもので、通常は、メラミン焼付塗装により、白色で撥水性のある塗装がなされる。ただし、需要者の要望に応じて、白色以外としてもよい。また、プライマー処理層１７は、撥水性の塗装層１６とアンダーコート層１８との密着性を向上させる機能を有している。さらに、アンダーコート層１８は、インクジェット印刷のベースとなるものであり、カラー印刷用下地処理層としての機能を有する。これらの具体例は、株式会社マスターマインド製のプライマー処理剤ＭＩＰ―９９９で得られるプライマー処理層と、同社製のアンダーコート剤ＭＩＵ―５５５ＡＧで得られるアンダーコート層がある。
【００１９】
本実施形態に係る時計１では、インクジェット印刷装置により耐光性を有するインクで色彩豊かな文字や図柄が文字板台１１に印刷されている。すなわち、時刻の読取りが容易な時刻目盛り等の文字が形成されると共に、設置場所に相応しい図柄、例えば、動物や花等のような雰囲気を和ませて不要な緊張感を解きほぐす色彩豊かな図柄が表示される。したがって、子供にとって、その場に溶け込み易くして安心感を与えたり、話題を提供したりすることが可能となる。また、インクジェット印刷装置により、図柄と文字が形成されているので、印刷のための版が不要となる。このために、少ロットの生産にも容易に対応することができる。特に、写真や絵画のような一品物の図柄を表示する時計を生産することにも適している。さらに、インクジェット印刷装置では、凹凸のある物であっても、図柄を印刷することができるので、文字板６が曲面からなる特殊な時計に対しても対応することができる。
【００２０】
また、文字板６の表示層１２の前面には紫外線遮断作用を有する表示前面層１３が形成されていて、前面カバー８には、紫外線遮断作用を発揮する表面加工が施されているので、耐光性、特に紫外線耐性が優れている。したがって、文字板６に表示されている図柄や文字は、長期間にわたって太陽光や照明光に曝されても、豊かな色彩が劣化することがほとんどない。あわせて、文字板台１１の下地の色彩も、劣化することがほとんどない。さらに、文字板台１１の表面が有機物である表示前面層１３で被覆されているので、耐光性だけでなく、耐湿性や耐食性等の特性向上も図られる。
【００２１】
（実施形態２）
実施形態２に係る時計を図７〜９に基づいて説明する。図７は、実施形態２に係る時計の後方側から見た状態を示す斜視図であり、図８は、全体構造を示す断面図であり、図９は図８の主要部の拡大図である。なお、実施形態２に係る時計の前方側から見た状態を示す斜視図は、実施形態１のものと同じであるので省略している。また、本実施形態に係る時計の全体構造及び要部構造、文字板や文字板表示層の構成、時計枠の材質等は、文字板台の形状と前面カバーの構成に関わる点を除き、実施形態１と基本的に同じなので、詳細な説明は省略する。なお、図７〜９では、図１〜４と互いに同一となる部品、部分には同一符号を付している。
【００２２】
本実施形態の文字板台１１は、略皿形状であり、このものは周辺の傾斜した見返り部１１ａと中心の平坦な底面部１１ｂとからなっている。また、前面カバー８を挟み込んだ時計枠パッキン３０を時計枠７と文字板台１１との間に配置し、文字板押え金具３１でもって文字板台１１を時計枠７の開口側へと押付けることにより、時計１の前面側から水等が浸入するのを防止する防雨構造が構成されている。
【００２３】
また、前面カバー８は、透明性の高いガラス板またはプラスチック板から作製されていて、その表面上に紫外線遮断作用を有する透明シート３５が密着した状態で貼着されている。すなわち、前面カバー８は、紫外線吸収剤を混練した材料を用いたのではなく、通常のガラス板またはプラスチック板を用いている。ここで、紫外線遮断作用を有する透明シート３５は、基材に紫外線吸収剤が混練されて片面側に接着剤層が形成されているものであり、具体例としては、リンテックス株式会社製のルミクール（登録商標）１５０１があげられる。ここで、透明シート３５は、前面カバー８の外周縁よりも小さく、時計枠７の開口部よりも大きい形状であって、透明シート３５の接着面を前面カバー８の表面上に当てつけるようにして貼着する。このようにすることで、透明シート３５貼着の作業性を向上させることができる。あわせて、前面カバー８を時計枠パッキン３０で挟み込むときに透明シート３５がはみ出すことがなく、この透明シート３５が時計枠７の内側部分に当接することが起こらないため、透明シート３５に不要なしわを発生させる恐れがないという利点もある。
【００２４】
一方、インクジェット印刷装置による印刷では、インクを噴出させるノズルと印刷対象物との距離が長くなると、噴出されたインクが拡散して、明瞭な輪郭を有する印刷が困難となる。このために、皿形状である文字板台１１には、直接インクジェット印刷装置では、図柄や文字を印刷すると、輪郭が明瞭でなくなり、時刻を示す文字は、子供にとって読みにくくなる可能性がある。これを改善する方法として、平板の文字板に印刷した後に、絞り加工によって、皿形状に加工することがある。この手順によれば、輪郭が明瞭で色彩豊かな図柄や文字を文字板台１１に印刷することができる。
【００２５】
本実施形態では、透明シート３５を前面カバー８の表面上に貼着しているので、さらに耐光性、特に紫外線耐性がさらに向上する。また、透明シート３５を前面カバー８の表面上に貼着しているので、時計１に対して外力が加わり、結果として前面カバー８が破損することがあっても、破損したガラス等が飛散することは透明シート３５によって有効に防止される。さらに、時計枠パッキン３０が取付けられていない場合であっても、透明シート３５を介して前面カバー８が文字板押え金具３１によって金属製等の時計枠７へと押付けられる構造となるため、前面カバー８が文字板押え金具３１の押付け力を受けて破損したり、時計１の輸送中に生じた衝撃等によって前面カバー８が破損したりするのを防止することが可能になるという利点もある。
【００２６】
【発明の効果】
請求項１に係る時計は、時計機械体と、前記時計機械体により駆動されて時刻を示す指針と、前記指針を支持する指針軸と、前記指針軸が貫通する文字板台と、前記指針軸が貫通して前記文字板台の表面を覆う表示層と、を備えた時計において、前記表示層は、前記文字板台と接してインクジェット印刷装置により耐光性を有するインクで文字及び図柄が印刷されている表示後面層と、前記表示後面層と接して透明で紫外線遮断作用を有する表示前面層と、を有することを特徴としているので、時計の文字板に、耐光性、特に紫外線耐性に優れて色彩豊かな図柄等を形成することができ、少ロット生産にも容易に対応できる。
【００２７】
請求項２に係る時計は、請求項１記載の構成において、前記指針の前面側に、透明で紫外線遮断作用を有する前面カバーを配設してなることを特徴としているので、請求項１記載の効果に加えて、時計の文字板の耐光性、特に紫外線耐性がさらに向上する。
【００２８】
請求項３に係る時計は、請求項２記載の構成において、前記前面カバーは、透明な板の表面上に紫外線遮断作用を有する透明シートを貼着してなることを特徴徴としているので、請求項２記載の効果に加えて、時計の文字板の耐光性、特に紫外線耐性がさらに向上するとともに、前面カバーの耐衝撃性が向上する。
【図面の簡単な説明】
【図１】実施形態１に係る時計をその前方側から見た状態を示す斜視図である。
【図２】実施形態１に係る時計をその後方側から見た状態を示す斜視図である。
【図３】実施形態１に係る時計の全体構造を示す断面図である。
【図４】実施形態１に係る時計の要部構造を拡大して示す断面図である。
【図５】実施形態１に係る時計の文字板の構成を拡大して示す説明図である。
【図６】実施形態１に係る時計の文字板の他の例の構成を拡大して示す説明図である。
【図７】実施形態２に係る時計をその後方側から見た状態を示す斜視図である。
【図８】実施形態２に係る時計の全体構造を示す断面図である。
【図９】実施形態２に係る時計の要部構造を拡大して示す断面図である。
【符号の説明】
１      時計
２      壁
３      時計機械体
４      時針（指針）
５      分針（指針）
６      文字板
７      時計枠
８      前面カバー
９      周辺縁部
１１    文字板台
１１ａ  見返り部
１１ｂ  底面部
１２    表示層
１３    表示前面層
１３ａ  表面特殊保護層
１３ｂ  粘着層
１４    表示後面層
１５    板台材
１６    塗装層
１７    プライマー処理層
１８    アンダーコート層
２１    時針軸
２２    分針軸
２５    機械体止めナット
２６    分針止めナット
２７    機械体カバー
２８    防水パッキン
３０    時計枠パッキン
３１    文字板押え金具
３２    時計掛け金具
３３    時計掛け軸
３５    透明シート
【図１】
2004205235.tif 000003
【図２】
2004205235.tif 000004
【図３】
2004205235.tif 000005
【図４】
2004205235.tif 000006
【図５】
2004205235.tif 000007
【図６】
2004205235.tif 000008
【図７】
2004205235.tif 000009
【図８】
2004205235.tif 000010
【図９】
2004205235.tif 000011